(57)【要約】      （修正有）【課題】システム資産の動作を監視するための方法及び装置を提供する。【解決手段】複数のシステム資産１０２の動作を監視する際に使用するためのデバイス１０８は、複数のシステム資産のモデルを格納するように構成されたストレージデバイスおよびストレージデバイスに結合されたプロセッサ１２４を含む。プロセッサは、システム資産の状態を表すデータを受信し、第１の表示状態において、モデルを使用してシステム資産を表す複数の資産画像を表示するように構成される。プロセッサはまた、第２の表示状態において、第１の資産画像によって表されるシステム資産がアラーム状態にあると判定するとすぐディスプレイの中で資産画像のうちの第１の資産画像を表示し、第３の表示状態において、残余の資産画像によって表されるシステム資産がアラーム状態にないと判定するとすぐディスプレイの中で残余の資産画像を表示するように構成される。【選択図】図１
2013196692.tif 000002
【特許請求の範囲】
【請求項１】
複数のシステム資産（１０２）の動作を監視する際に使用するためのデバイス（１０８）であって、
複数のシステム資産のモデル（２００）を格納するように構成されたストレージデバイス（１２６）と、
前記ストレージデバイスに結合されたプロセッサ（１２４）と
を含み、前記プロセッサが、
前記複数のシステム資産の状態を表すデータを受信し、
第１の表示状態において、前記モデルを使用して、前記複数のシステム資産を表す複数の資産画像（２０２）をディスプレイ上に表示し、
第２の表示状態において、第１の資産画像によって表されたシステム資産がアラーム状態にあると判定するとすぐ前記ディスプレイの中で前記複数の資産画像の前記第１の資産画像を表示するように構成され、前記第２の表示状態において前記第１の資産画像を表示することが、前記第１の表示状態における前記複数の資産画像の前記表示に関して前記第１の資産画像を強調し、前記プロセッサがさらに、
第３の表示状態において、残余の資産画像によって表されるシステム資産がアラーム状態にないと判定するとすぐ前記ディスプレイの中で前記複数の資産画像のうちの前記残余の資産画像を表示するように構成され、前記第３の表示状態において前記残余の資産画像を表示することが、第１の表示状態における前記複数の資産画像の前記表示に関して前記残余の資産画像を強調するのをやめる、
デバイス（１０８）。
【請求項２】
前記プロセッサ（１２４）が、前記残余の資産画像の色とは異なる色で前記第１の資産画像を表示すること、前記第１の資産画像の明度を上げること、および前記第２の表示状態および前記第１の表示状態で前記第１の資産画像を交互に表示することのうちの少なくとも１つによって、前記第２の表示状態において前記第１の資産画像（２０２）を表示するように構成される、請求項１記載のデバイス（１０８）。
【請求項３】
前記プロセッサ（１２４）が、前記アラーム状態の厳しさおよび前記第１の資産画像によって表された前記システム資産（１０２）が前記アラーム状態にある時間の量のうちの少なくとも１つに基づいて、前記第２の表示状態において前記第１の資産画像（２０２）を表示するように構成される、請求項１記載のデバイス（１０８）。
【請求項４】
前記プロセッサ（１２４）が、前記アラーム状態の厳しさが低減された場合は、前記第２の表示状態の中の前記第１の資産画像（２０２）の強調を弱めるように構成される、請求項３記載のデバイス（１０８）。
【請求項５】
前記プロセッサ（１２４）が、前記残余の資産画像の不透明さを低減すること、および前記残余の資産画像を表示するために使用されるカラーパレットを縮小することのうちの少なくとも１つによって、前記第３の表示状態において前記残余の資産画像（２０２）を表示するように構成される、請求項１記載のデバイス（１０８）。
【請求項６】
前記プロセッサ（１２４）が、前記第１の資産画像（２０２）を選択し、前記第１の資産画像によって表される前記システム資産（１０２）に関する測定データを受信するように構成される、請求項１記載のデバイス（１０８）。
【請求項７】
前記プロセッサ（１２４）が、ユーザ入力に基づいて前記第１の資産画像（２０２）を選択するように構成される、請求項６記載のデバイス（１０８）。
【請求項８】
複数のシステム資産（１０２）の状態を判定するためのデータ取得デバイス（１０６）と、
前記データ取得デバイスに結合されたコンピューティングデバイス（１０８）と
を含むシステム（１００）であって、前記コンピューティングデバイスが、
前記複数のシステム資産のモデル（２００）を格納するように構成されたストレージデバイス（１２６）、および
前記ストレージデバイスに結合されたプロセッサ（１２４）を含み、前記プロセッサが、
前記データ取得デバイスから前記複数のシステム資産の前記状態を表すデータを受信し、
第１の表示状態において、前記モデルを使用してディスプレイ上に前記複数のシステム資産を表す複数の資産画像（２０２）を表示し、
第２の表示状態において、第１の資産画像によって表されたシステム資産がアラーム状態にあると判定するとすぐ前記ディスプレイの中で前記複数の資産画像のうちの前記第１の資産画像を表示するように構成され、前記第２の表示状態において前記第１の資産画像を表示することが、前記第１の表示状態における前記複数の資産画像の前記表示に関して前記第１の資産画像を強調し、前記プロセッサがさらに、
第３の表示状態において、残余の資産画像によって表されるシステム資産がアラーム状態にないと判定するとすぐ前記ディスプレイの中で前記複数の資産画像のうちの前記残余の資産画像を表示するように構成され、前記第３の表示状態において前記残余の資産画像を表示することが、第１の表示状態における前記複数の資産画像の前記表示に関して前記残余の資産画像を強調するのをやめる、
システム（１００）。
【請求項９】
前記プロセッサ（１２４）が、前記残余の資産画像の色とは異なる色で前記第１の資産画像を表示すること、前記第１の資産画像の明度を上げること、および前記第２の表示状態および前記第１の表示状態で前記第１の資産画像を交互に表示することのうちの少なくとも１つによって、前記第２の表示状態において前記第１の資産画像（２０２）を表示するように構成される、請求項８記載のシステム（１００）。
【請求項１０】
前記プロセッサ（１２４）が、前記アラーム状態の厳しさおよび前記第１の資産画像によって表された前記システム資産（１０２）が前記アラーム状態にある時間の量のうちの少なくとも１つに基づいて、前記第２の表示状態において前記第１の資産画像（２０２）を表示するように構成される、請求項８記載のシステム（１００）。
【発明の詳細な説明】
【技術分野】
【０００１】
本出願は、一般にシステムに関し、より具体的にはシステム資産の動作を監視する際に使用するための方法および装置に関する。
【背景技術】
【０００２】
少なくともいくつかの知られているパワーシステムは、発電機、モータ、ファン、および／または他の構成要素などの複数の構成要素を含む。そのような構成要素は、多くの場合、発電所または工場などの建物の中に格納または配置される。建物は、ユーザが所望の構成要素の位置を特定するおよび／または所望の構成要素にたどり着くのが難しいほど多数の構成要素を含んでいることがある。例えば、所望の構成要素は、別の構成要素の後ろに配置されるおよび／または別の構成要素によって覆い隠されていて、その結果、容易に見えないことがある。
【０００３】
さらに、パワーシステムの動作中に、１つまたは複数の構成要素が故障することもあり、または許容限界外で動作することもある。そのような構成要素は、ユーザに故障または許容できない動作状態をアラートするためにアラーム状態に入ることがある。
【０００４】
システム構成要素を監視するのを容易にするために、少なくともいくつかの知られているシステムは、システム構成要素の仮想表現を使用してモデル化されている。そのようなモデルは、システム構成要素の表現を含んでよく、構成要素の状態を表示することができる。しかし、そのようなシステムモデルは、非常に多くの情報を含むので、所望の情報が覆い隠される可能性がある。例えば、構成要素がアラーム状態に入った場合、構成要素の状態は、その他のシステム構成要素の状態情報によって目立たなくされるかまたは覆い隠される可能性がある。したがって、ユーザにはそのようなシステムモデルの中のアラーム構成要素を識別するのが難しくなる可能性がある。
【先行技術文献】
【特許文献】
【０００５】
【特許文献１】米国特許第８０２６９３３号明細書
【発明の概要】
【０００６】
一実施形態では、複数のシステム資産のモデルを格納するように構成されたストレージデバイスおよびストレージデバイスに結合されたプロセッサを含む複数のシステム資産の動作を監視する際に使用するためのデバイスが提供される。プロセッサは、複数のシステム資産の状態を表すデータを受信し、第１の表示状態では、モデルを使用してディスプレイ上に複数の資産画像を表示するように構成され、複数の資産画像は、複数のシステム資産を表す。プロセッサはまた、第２の表示状態では、第１の資産画像によって表されたシステム資産がアラーム状態にあると判定するとすぐディスプレイの中で複数の資産画像のうちの第１の資産画像を表示し、第３の表示状態では、残余の資産画像によって表されたシステム資産がアラーム状態にないと判定するとすぐディスプレイの中で複数の資産画像のうちの残余の資産画像を表示するように構成される。第２の表示状態において第１の資産画像を表示することは、第１の表示状態における資産画像の表示に関して第１の資産画像を強調し、第３の表示状態において残余の資産画像を表示することは、第１の表示状態における資産画像の表示に関して残余の資産画像を強調するのをやめることになる。
【０００７】
他の実施形態では、複数のシステム資産の状態を判定するためのデータ取得デバイスおよびデータ取得デバイスに結合されたコンピューティングデバイスを含むシステムが提供される。コンピューティングデバイスは、複数のシステム資産のモデルを格納するように構成されたストレージデバイスおよびストレージデバイスに結合されたプロセッサを含む。プロセッサは、データ取得デバイスからの複数のシステム資産の状態を表すデータを受信し、第１の表示状態において、モデルを使用して、複数のシステム資産を表す複数の資産画像をディスプレイ上に表示するように構成される。プロセッサはまた、第２の表示状態において、第１の資産画像によって表されたシステム資産がアラーム状態にあると判定するとすぐ、ディスプレイの中で複数の資産画像のうちの第１の資産画像を表示し、第３の表示状態において、残余の資産画像によって表されたシステム資産がアラーム状態にないと判定するとすぐ、ディスプレイの中で複数の資産画像のうちの残余の資産画像を表示するように構成される。第２の表示状態において第１の資産画像を表示することは、第１の表示状態における資産画像の表示に関して第１の資産画像を強調し、第３の表示状態において残余の資産画像を表示することは、第１の表示状態における資産画像の表示に関して残余の資産画像を強調するのをやめることになる。
【０００８】
さらに他の実施形態では、複数のシステム資産の動作を監視する方法であって、複数のシステム資産の状態を表すデータを受信すること、および第１の表示状態においてディスプレイ上に複数のシステム資産を表す複数の資産画像を表示することを含む方法が提供される。本方法はまた、第２の表示状態において、第１の資産画像によって表されたシステム資産がアラーム状態にあると判定するとすぐ、ディスプレイの中で複数の資産画像のうちの第１の資産画像を表示すること、および、第３の表示状態において、残余の資産画像によって表されたシステム資産がアラーム状態にないと判定するとすぐ、ディスプレイの中で複数の資産画像のうちの残余の資産画像を表示することを含む。第２の表示状態において第１の資産画像を表示することは、第１の表示状態における資産画像の表示に関して第１の資産画像を強調し、第３の表示状態において残余の資産画像を表示することは、第１の表示状態における資産画像の表示に関して残余の資産画像を強調するのをやめることになる。
【０００９】
本発明のこれらのおよび他の特徴、態様、および利点は、全図面にわたって同様の符号は同様の部分を表す添付の図面を参照しながら以下の詳細な説明を読めばより良く理解するであろう。
【図面の簡単な説明】
【００１０】
【図１】複数のシステム資産を含む一例示的システムのブロック図である。
【図２】図１に示すシステムの例示的モデルのブロック図である。
【図３】図１に示すシステムによって使用される複数のシステム資産の動作を監視するために実施することができる例示的方法の流れ図である。
【発明を実施するための形態】
【００１１】
図１は、複数のシステム資産１０２を含む例示的システム１００のブロック図である。この例示的実施形態では、システム１００は、工場、産業システムもしくは産業設備、製作所、精錬所、製造設備、発電プラントもしくは発電設備、および／または複数のシステム資産１０２を含む任意の他のシステムでもよく、またはそれらを含んでもよい。システム資産１０２は、機械、モータ、発電機、ポンプ、ファン、コンピュータシステムもしくはコンピュータデバイス、センサ、および／またはシステム１００が本明細書に記載のように機能することができるようにする任意の他のデバイスもしくは機械を含むことができるがそれらを含むことのみに限定されない。
【００１２】
この例示的実施形態では、資産１０２の動作状態を測定する際に使用するために、少なくとも１つのシステム資産１０２に少なくとも１つのセンサ１０４が結合される。例えば、資産１０２が回転機械である場合は、センサ１０４は、機械の駆動軸の振動、駆動軸の回転数もしくは回転速度、機械の温度、機械内部の圧力、および／またはシステム１００が本明細書に記載のように機能することができるようにする任意の構成要素もしくはデバイスの任意の他の動作状態を測定することができる。
【００１３】
システム１００はまた、データ取得デバイス１０６およびデータ取得デバイス１０６に結合されたコンピューティングデバイス１０８を含む。この例示的実施形態では、データ取得デバイス１０６は、１つまたは複数のメモリデバイス１１２に結合されたプロセッサ１１０、センサインターフェース１１４、通信インターフェース１１６、および１つまたは複数のデータベース１１８を含む。
【００１４】
プロセッサ１１０は、１つまたは複数のシステムおよびマイクロコントローラを含む任意の適切なプログラマブル回路、マイクロプロセッサ、縮小命令セット回路（ＲＩＳＣ）、特定用途向け集積回路（ＡＳＩＣ）、プログラマブルロジック回路（ＰＬＣ）、フィールドプログラマブルゲートアレイ（ＦＰＧＡ）、ならびに本明細書に記載の機能を実行することができる任意の他の回路を含む。上記の例は、例示のみであり、したがって、用語「プロセッサ」の定義および／または意味を決して限定することを意図するものではない。
【００１５】
メモリデバイス１１２は、限定なしに、ランダムアクセスメモリ（ＲＡＭ）、フラッシュメモリ、ハードディスクドライブ、ソリッドステートドライブ、ディスケット、フラッシュドライブ、コンパクトディスク、デジタルビデオディスク、および／または任意の適切なメモリなどのコンピュータ読取り可能記憶媒体を含むストレージデバイスである。この例示的実施形態では、メモリデバイス１１２は、プロセッサ１１０が本明細書に記載の機能を実行することができるようにするためにプロセッサ１１０によって実行可能な（すなわち、プロセッサ１１０は命令によってプログラムされている）データおよび／または命令を含む。
【００１６】
センサインターフェース１１４は、資産１０２の測定された動作状態を表す信号を受信するためのセンサ１０４に結合される。より具体的には、センサインターフェース１１４は、センサ１０４への無線接続を介しておよび／または有線接続を介して、センサ１０４から信号を受信する。この例示的実施形態では、センサインターフェース１１４は、プロセッサ１１０によって使用するために、センサ１０４から受信した信号を変換および／または調整する。一実施形態では、センサインターフェース１１４は、センサ１０４から受信したアナログ信号を、測定された動作状態を表すデジタルデータ（以下では「資産測定データ」と呼ぶ）に変換するアナログトゥデジタルコンバータ（ＡＤＣ）を含み、資産測定データは、プロセッサ１１０に送信される。この例示的実施形態では、データ取得デバイス１０６は、受信した資産測定データに基づいて各システム資産１０２の状態を判定する。
【００１７】
通信インターフェース１１６は、限定なしに、ネットワークインターフェースコントローラ（ＮＩＣ）、ネットワークアダプタ、トランシーバ、またはデータ取得デバイス１０６が本明細書に記載のように動作することができるようにする任意の他の通信インターフェースもしくはデバイスを含んでよい。この例示的実施形態では、通信インターフェース１１６は、任意の適切な有線もしくは無線ネットワークおよび／または通信プロトコルを使用してコンピューティングデバイス１０８に接続することができる。
【００１８】
データベース１１８は、測定データベース１２０およびモデルデータベース１２２を含む。代替として、データベース１１８は、任意の他のデータベース、および／または測定データベース１２０を含むことができ、モデルデータベース１２２は１つのデータベース１１８に結合して一体化することができる。一実施形態では、データベース１１８は、１つまたは複数のメモリデバイス１１２の中に含まれる。代替として、データベース１１８は、ネットワークアタッチトストレージ（ＮＡＳ）デバイス、外付けハードドライブ、リモートコンピューティングデバイス、および／またはデータ取得デバイス１０６が本明細書に記載のように機能することができるようにする任意の他のストレージデバイスなどの１つまたは複数のリモートストレージデバイスの中に含まれる。
【００１９】
この例示的実施形態では、プロセッサ１１０は、測定データベース１２０にセンサ１０４から受信した資産測定データを格納する。一実施形態では、測定データベース１２０は、予め定義した期間中の資産１０２ごとの資産測定履歴データを格納する。さらに、プロセッサ１１０（または別のデバイス）は、システム１００のモデルの構成要素（図１には示さず）および／またはシステム資産１０２をモデルデータベース１２２に格納する。この例示的実施形態では、モデル構成要素は、各システム資産１０２に関連するデータを含む。例えば、モデル構成要素は、各資産１０２の画像またはグラフィカル表現、各資産１０２の場所、資産１０２ごとの識別子、他の資産１０２への１つまたは複数の接続、資産１０２ごとの動作状態閾値および／またはアラーム閾値、ならびに／あるいはシステム資産１０２に関連する任意の他のデータを含んでよい。一実施形態では、ユーザまたは管理者は、システム１００のモデルを作成する際に使用するためにモデル構成要素をモデルデータベース１２２に入力することができる。本明細書で使用する場合は、用語「モデル」は、システムまたは構成要素のビジュアル表現を指す。例えば、モデルは、タイプ、識別、場所、および／またはシステムもしくは構成要素の任意の他の特性を表すグラフィカルインジケータを表示するコンピュータベースの表現でよい。
【００２０】
この例示的実施形態では、コンピューティングデバイス１０８は、データ取得デバイス１０６からデータを受信するおよび／またはシステム１００のモデルを表示するために、データ取得デバイス１０６に結合される。コンピューティングデバイス１０８は、メモリデバイス１２６に結合されたプロセッサ１２４、通信インターフェース１２８、ユーザ入力デバイス１３０、およびディスプレイ１３２を含む。この例示的実施形態では、コンピューティングデバイス１０８は、ラップトップ、スマートフォン、携帯情報端末（ＰＤＡ）、タブレットコンピュータ、および／または本明細書に記載のように機能する任意の他のデバイスなどのモバイルデバイスである。代替として、コンピューティングデバイス１０８は、デスクトップコンピュータ、サーバコンピュータ、および／またはシステム１００が本明細書に記載のように機能することができるようにする任意の他のコンピューティングデバイスである。
【００２１】
プロセッサ１２４は、１つまたは複数のシステムおよびマイクロコントローラを含む任意の適切なプログラマブル回路、マイクロプロセッサ、縮小命令セット回路（ＲＩＳＣ）、特定用途向け集積回路（ＡＳＩＣ）、プログラマブルロジック回路（ＰＬＣ）、フィールドプログラマブルゲートアレイ（ＦＰＧＡ）、および本明細書に記載の機能を実行することができる任意の他の回路を含む。上記の例は、例示のみであり、したがって、用語「プロセッサ」の定義および／または意味を決して限定することを意図するものではない。
【００２２】
メモリデバイス１２６は、限定なしに、ランダムアクセスメモリ（ＲＡＭ）、フラッシュメモリ、ハードディスクドライブ、ソリッドステートドライブ、ディスケット、フラッシュドライブ、コンパクトディスク、デジタルビデオディスク、および／または任意の適切なメモリなどのコンピュータ読取り可能記憶媒体を含む。この例示的実施形態では、メモリデバイス１２６は、プロセッサ１２４が本明細書に記載の機能を実行することができるようにするプロセッサ１２４によって実行可能である（すなわち、プロセッサ１２４は命令によってプログラムされる）データおよび／または命令を含む。
【００２３】
通信インターフェース１２８は、限定なしに、ネットワークインターフェースコントローラ（ＮＩＣ）、ネットワークアダプタ、トランシーバ、またはコンピューティングデバイス１０８が本明細書に記載のように動作することができるようにする任意の他の通信インターフェースもしくはデバイスを含んでよい。この例示的実施形態では、通信インターフェース１２８は、任意の適切な有線もしくは無線ネットワークおよび／または通信プロトコルを使用してデータ取得デバイス１０６に接続することができる。
【００２４】
ユーザ入力デバイス１３０は、限定なしに、キーボード、キーパッド、タッチセンシティブスクリーン、マウス、スクロールホイール、ポインティングデバイス、音声認識ソフトウェアを利用するオーディオ入力デバイス、および／またはユーザがデータをコンピューティングデバイス１０８に入力するおよび／またはコンピューティングデバイス１０８からデータを取り出すことができるようにする任意の適切なデバイスを含む。ディスプレイ１３２は、限定なしに、液晶ディスプレイ（ＬＣＤ）、真空蛍光ディスプレイ（ＶＦＤ）、陰極線管（ＣＲＴ）、プラズマディスプレイ、発光ダイオード（ＬＥＤ）ディスプレイ、１つまたは複数のＬＥＤ、および／またはユーザにグラフィカルデータおよびテキストを表示することができる任意の適切なビジュアル出力デバイスを含む。一実施形態では、ディスプレイ１３２は、例えば、ユーザがスクリーンを介してデータおよび／またはコマンドを入力することができるようにすることによってユーザ入力デバイス１３０の態様を組み込んだタッチセンシティブスクリーンでよい。
【００２５】
動作中、データ取得デバイス１０６のセンサインターフェース１１４は、センサ１０４からセンサ測定信号を受信し、信号を測定データベース１２０に（プロセッサ１１０によって）格納されている資産測定データに変換する。データ取得デバイス１０６はまた、システム資産１０２の１つまたは複数の態様を表す複数のモデル構成要素を受信または生成し、モデル構成要素をモデルデータベース１２２に格納する。モデル構成要素および資産測定データは、通信インターフェース１１６を介してコンピューティングデバイス１０８に送信される。
【００２６】
この例示的実施形態では、コンピューティングデバイス１０８は、データ取得デバイス１０６からモデル構成要素および資産測定データを受信し、それらの構成要素およびデータ（ならびに／あるいはそれらの構成要素および／またはデータのキャッシュされたバージョン）をメモリデバイス１２６に格納する。プロセッサ１２４は、メモリデバイス１２６からモデル構成要素および資産測定データを取り出し、第１の表示状態において、モデル構成要素および／または資産測定データに基づいてシステム１００のモデルをディスプレイ１３２上に表示する。さらに、この例示的実施形態では、プロセッサ１２４は、本明細書でより十分に説明するように、第２の状態において、アラーム状態にあるシステム資産１０２の画像の表示を表示し（または強調し）、第３の状態において、アラーム状態にないシステム資産１０２の画像の表示を表示する（または強調するのをやめる）。
【００２７】
本明細書で使用する場合、用語「アラーム状態」は、システム資産１０２の動作状態が動作状態閾値またはアラーム閾値を超える状態または状況、システム資産１０２の動作状態が別のシステム資産１０２の動作状態を予め定めた量だけ超える状態または状況、システム資産１０２の動作状態が予め定めた期間中に動作状態閾値またはアラーム閾値を超える状態または状況、ならびに／あるいは、任意の他の状態が満たされている場合は、システム資産１０２が不満足なやり方で動作していることを示す状態または状況を指す。
【００２８】
図２は、（図１に示す）システム１００などのシステムの例示的グラフィカル表現２００またはモデル２００のブロック図である。この例示的実施形態では、モデル２００は、（図１に示す）コンピューティングデバイス１０８のメモリデバイス１２６の中に格納されるおよび／またはディスプレイ１３２によって表示される。代替としてまたは追加として、モデル２００は、データ取得デバイス１０６などのコンピューティングデバイス１０８から遠く離れた少なくとも１つのデバイスまたはシステムの中に格納する、かつ／またはそれによって表示することが可能である。
【００２９】
この例示的実施形態では、モデル２００は、ディスプレイ１３２上に少なくとも１つのシステム資産１０２（図１に示す）の表現または画像（以下では「資産画像２０２」と呼ぶ）を表示する。より具体的には、モデル２００は、各資産画像２０２を、例えば、資産画像２０２に関連するシステム資産１０２に対応する場所２０４においてモデル２００の中に配置することによって、モデル２００の中の各システム資産１０２の場所２０４または位置を表示する。したがって、モデル２００の中の各資産画像２０２の位置は、資産画像２０２に関連するまたはそれによって表される各システム資産１０２の１００の中の位置に対応する。この例示的実施形態では、モデル２００は、資産画像２０２および／またはシステム１００の二次元表示としてまたは三次元（３Ｄ）表示として表すことができる。例えば、モデル２００は、ユーザがディスプレイ１３２上でシステム１００の仮想表現を見ることができるようにする資産画像２０２の立体３Ｄ表示でよい。
【００３０】
モデル２００は、他の資産画像２０２によって覆い隠されている１つまたは複数の隠された資産画像２０６を含んでよい。そのような隠された資産画像２０６は、本明細書でさらに十分に説明するように、隠された資産画像２０６を覆い隠している資産画像２０２を強調するのをやめる場合は、モデル２００の中で表示する、かつ／または見ることが可能である。
【００３１】
この例示的実施形態では、モデル２００は、各システム資産１０２を物理的場所にマッピングすることによって生成される。例えば、ユーザは、カメラおよび／または別のデバイスがシステム資産１０２の物理的場所を識別し、システム資産１０２の物理的場所をモデル２００の中の関連する資産画像２０２に自動的におよび／または手動で関連付けることができるようにされた全地球測位システム（ＧＰＳ）を使用することができる。さらに、資産測定データ、動作状態、プロセスパラメータ、資産１０２の状態、および／または任意の他の詳細などのシステム資産１０２に関連するデータが資産画像２０２に関連付けられてよい。各システム資産１０２に関連するデータは、モデル２００の中の関連する資産画像２０２を選択することによってアクセスおよび／または表示することが可能である。例えば、ユーザは、ユーザ入力デバイス１３０を使用して資産画像２０２を選択して、システム資産１０２に関連するデータを受信することができる。
【００３２】
モデル２００および／または資産画像２０２の少なくともいくつかの部分は、プロセッサ１２４からおよび／またはデータ取得デバイス１０６などのリモートデバイスから受信した信号またはデータに基づいて強調することまたは強調するのをやめることが可能である。本明細書で使用する場合、用語「強調する」は、１つまたは複数の資産画像２０２を資産画像２０２の第１の表示状態に比べてよりよく見えるまたは目立つように表示することを指す。例えば、第１の表示状態は、アラーム状態にあると判定されるシステム資産１０２が１つもない「普通の」表示状態を示してよい。資産画像２０２がアラーム状態にあると判定されたシステム構成要素１０２に関連付けられている場合は、資産画像２０２は、第１の（または強調するのをやめる）表示状態における資産画像２０２の表示に関して資産画像２０２を強調する第２の表示状態で表示することができる。本明細書で使用する場合、用語「強調するのをやめる」は、１つまたは複数の資産画像２０２を、第１の表示状態に関して（および第２の表示状態に関して）それほどよく見えないまたはそれほど目立たないように表示することを指す。したがって、アラーム状態にないと判定されたシステム構成要素１０２に関連する資産画像２０２は、第１の表示状態における資産画像２０２の表示に関して資産画像２０２を強調するのをやめる第３の表示状態で表示することができる。
【００３３】
例えば、モデル２００の中の他の資産画像２０２の色と対照的により明るいまたはよりよく見える色で資産画像２０２をハイライトすることによって、資産画像２０２の不透明さを増すことによって、他の資産画像２０２に関して資産画像２０２のコントラストまたは明度を上げることによって、および／またはモデル２００が本明細書に記載のように機能することができるようにする任意の他のやり方によって、１つまたは複数の資産画像２０２、またはそれらの１つまたは複数の部分を強調することができる。さらに、資産画像２０２は、資産画像２０２が「フラッシュする」ようにする、あるいは２つの色、色の強度もしくは明度、または上記の表示特性のいずれかを有する任意の他の表示状態の間でなど、２つの表示状態の間で（例えば、第２の表示状態と第１の表示状態との間で）交互に表示することによって、強調することができる。資産画像２０２は、アラーム状態の厳しさに基づく頻度で、２つのまたは３つ以上の表示状態の間で連続して交替してよい。例えば、アラーム状態が厳しいと判定されない場合は、資産画像２０２は、第１の頻度で、表示状態間で交替してよい。アラーム状態が厳しいと判定された場合は、資産画像２０２は、第１の頻度より速い第２の頻度で、表示状態間で交替してよい。この例示的実施形態では、資産測定データおよび／または他のデータがシステム資産１０２がアラーム状態にあることを示す場合などには、画像２０２によって表されるシステム資産１０２の状態に基づいて資産画像２０２を強調する。
【００３４】
さらに、この例示的実施形態では、１つまたは複数の資産画像２０２は、不透明さを低減すること（すなわち、透明にされるまたは部分的に透明にされること）、縮小したカラーパレットで表示すること（または、「グレーアウトされる」こと）、および／またはモデル２００に表示しないことなどによって、強調するのをやめることが可能である。より具体的には、アラーム状態にあると識別されない資産画像２０２は、例えば、別の資産画像２０２がアラーム状態にあると識別される場合は、自動的に強調するのをやめる。この例示的実施形態では、システム資産１０２の状態の変化（例えば、アラーム状態に入るまたはそれから出る）によって、資産画像２０２の表示を変えることができる（例えば、資産画像２０２を強調するまたは強調するのをやめることができる）。さらに、アラーム状態にあるシステム資産１０２の隠された資産画像２０６などの別の資産画像２０２を資産画像２０２が覆い隠している場合は、アラーム状態にあるシステム資産１０２に関連付けられていない資産画像２０２の不透明さを低減することができる。
【００３５】
この例示的実施形態では、モデル２００は、資産測定データおよび／または受信した任意の他のデータに基づいて、ますますおよび／または徐々に強調するおよび／または強調するのをやめることが可能である。例えば、モデル２００は、関連するシステム資産１０２のアラーム状態が続くときは、（例えば、資産画像２０２の明度または色の彩度を上げることによって）資産画像２０２をますます強調することができる、および／または資産画像２０２をアラーム状態の厳しさに基づいて徐々に強調の度合いを上げていくことができる。同様に、モデル２００は、状態が動作状態閾値またはアラーム閾値の方に「向かう」または近づくように、アラーム状態の厳しさが低下した場合は、またはシステム資産１０２の動作状態が低減された場合は、資産画像２０２の強調を弱めることができる。
【００３６】
この例示的実施形態では、ユーザは、資産画像２０２によって表されたシステム資産１０２に関連するデータを取得するために、強調された資産画像２０２（または任意の他の資産画像２０２）を選択することができる。例えば、ユーザは、システム資産１０２に関する資産測定データおよび／またはシステム資産１０２に関する任意の他の情報を受信するために、アラーム状態にある資産画像２０２を選択することができる。
【００３７】
図３は、システム１００のシステム資産１０２（両方とも図１に示す）などのシステムの複数の資産の動作を監視するための例示的方法３００の流れ図である。この例示的実施形態では、方法３００は、コンピューティングデバイス１０８のメモリデバイス１２６（両方とも図１に示す）の中に格納されている複数のコンピュータ実行可能命令の中に組み込まれ、コンピューティングデバイス１０８のプロセッサ１２４（図１に示す）によって実行される。
【００３８】
この例示的実施形態では、方法３００は、複数のシステム資産１０２を表す（図２に示すモデル２００などの）モデルを受信すること３０２を含む。この例示的実施形態では、モデル２００は、メモリデバイス１２６に格納される。各システム資産１０２の状態を表すデータは、例えば、データ取得デバイス１０６（図１に示す）から受信され３０４、データはメモリデバイス１２６に格納される。
【００３９】
複数の資産画像２０２（図２に示す）を、ディスプレイ１３２（図１に示す）などのディスプレイ上に表示する３０６。各資産画像２０２は、この例示的実施形態では、システム資産１０２を表す。したがって、各資産画像２０２は、システム１００の中のシステム資産１０２の場所を表し、システム資産１０２に関連するデータを受信するために選択することが可能である。
【００４０】
この例示的実施形態では、プロセッサ１２４は、システム資産１０２がアラーム状態にあるかどうかを判定する３０８．例えば、プロセッサ１２４は、データ取得デバイス１０６からまたは別のデバイスから、１つまたは複数のシステム資産１０２の動作状態が動作状態閾値を超えたことまたはそうでなければアラーム状態に入ったことを示す信号を受信することができる。アラーム状態にあると判定される３０８システム資産１０２がない場合は、方法３００は、システム資産１０２の状態を表すデータを受信すること３０４に戻る。
【００４１】
システム資産１０２がアラーム状態にあると判定された（３０８）場合は、図２を参照しながら上記で説明したように、システム資産１０２を表す資産画像２０２をディスプレイ１３２の中で（例えば、モデル２００の中で）強調する３１０。さらに、図２を参照しながら上記で説明したように、残余の資産画像２０２（すなわち、アラーム状態にないと判定されたシステム資産１０２を表す資産画像２０２）を、ディスプレイ１３２の中で強調するのをやめる３１２。したがって、アラーム状態にあるシステム資産１０２に関する情報は、その情報がモデル２００の中で他の資産画像２０２によって覆い隠されることなく、ユーザが容易に見ることが可能となる。
【００４２】
本明細書に記載のシステムおよび方法の技術的効果は、ａ）複数のシステム資産の状態を表すデータを受信すること、（ｂ）第１の表示状態においてディスプレイ上に複数のシステム資産を表す複数の資産画像を表示すること、（ｃ）第２の表示状態において、第１の資産画像によって表されるシステム資産がアラーム状態にあると判定するとすぐディスプレイの中で複数の資産画像のうちの第１の資産画像を表示すること、および（ｄ）第３の表示状態において、資産画像によって表されるシステム資産がアラーム状態にないと判定するとすぐディスプレイの中で複数の資産画像のうちのそれらの資産画像を表示することのうちの少なくとも１つを含む。第２の表示状態において第１の資産画像を表示することは、第１の表示状態における資産画像の表示に関して第１の資産画像を強調し、第３の表示状態において残余の資産画像を表示することは、第１の表示状態における資産画像の表示に関して残余の資産画像を強調するのをやめることになる。
【００４３】
本明細書に記載のシステムは、複数のシステム資産に関する状態情報を効率よく強靭に表示する。システム資産のモデルが提供され、ディスプレイ上に表示される。複数の資産画像がモデルの中に含まれ、各資産画像はシステム資産を表す。システム資産がアラーム状態にあると判定された場合は、そのシステム資産に関連する資産画像をディスプレイの中で強調する。逆に、アラーム状態にない残余のシステム資産に関連する資産画像をディスプレイの中で強調するのをやめる。したがって、ユーザは、残余のシステム資産の資産画像にアラーム状態にあるシステム資産の資産画像を隠させることなく、アラーム状態にあるシステム資産を迅速に効率よく識別することができる。さらに、ユーザは、システム資産に関連する追加のデータを受信するために、アラーム状態にあるシステム資産の資産画像を選択することができ、したがって、システムのトラブルシューティングおよび分析を容易にする。
【００４４】
複数のシステム資産の動作を監視する際に使用するための方法および装置の例示的実施形態が上記で詳細に説明されている。これらの方法および装置は、本明細書に記載の特定の実施形態に限定されるのではなく、これらの装置の構成要素および／またはこれらの方法のステップは、本明細書に記載の他の構成要素および／またはステップとは独立して別々に利用することが可能である。例えば、コンピューティングデバイスはまた、他のシステムおよび方法と組み合わせて使用することも可能であり、本明細書に記載のようなシステムまたはデータ取得デバイスによってのみ実施することに限定されない。むしろ、この例示的実施形態は、多くの他のパワーシステムまたは産業アプリケーションと組み合わせて実施し、利用することができる。
【００４５】
本発明の様々な実施形態の特定の特徴が示されている図面もあれば示されていない図面もあるが、これは便宜のためのみである。本発明の原理によれば、図面の任意の特徴は、任意の他の図面の任意の特徴と組み合わせて参照されても、および／または請求されてもよい。
【００４６】
本明細書は、ベストモードを含めて、本発明を開示するために、さらに、当業者なら誰でも任意のデバイスまたはシステムを作成し使用すること、および任意の組み込まれた方法を実施することを含めて本発明を実施することができるようにするために、実施例を使用する。本発明の特許可能な範囲は、特許請求の範囲によって規定され、当業者が想到する他の実施例を含んでよい。そのような他の実施例は、特許請求の範囲の文字言語と異ならない構造要素を有する場合、または特許請求の範囲の文字言語と事実上異ならない同等の構造要素を含む場合は、特許請求の範囲の範囲内にあるものとする。
【符号の説明】
【００４７】
１００  システム
１０２  システム資産
１０４  センサ
１０６  データ取得デバイス
１０８  コンピューティングデバイス
１１０  プロセッサ
１１２  メモリデバイス
１１４  センサインターフェース
１１６  通信インターフェース
１１８  データベース
１２０  測定データベース
１２２  モデルデータベース
１２４  プロセッサ
１２６  メモリデバイス
１２８  通信インターフェース
１３０  ユーザ入力デバイス
１３２  ディスプレイ
２００  モデル
２０２  資産画像
２０４  場所
２０６  隠された資産画像
３００  方法
３０２  複数のシステム資産を表すモデルを受信する
３０４  システム資産の状態を表すデータを受信する
３０６  複数の資産画像をディスプレイ上に表示する
３０８  システム資産はアラーム状態にあるか？
３１０  ディスプレイの中でシステム資産を表す資産画像を強調する
３１２  ディスプレイの中で残余の資産画像を強調するのをやめる
【図１】
2013196692.tif 000003
【図２】
2013196692.tif 000004
【図３】
2013196692.tif 000005